(57)【要約】      （修正有）【課題】テニスやバトミントンのラケットのガットがプレイ中に切れても簡単に本体からフェース部分を取り外して交換できるようにする。【解決手段】新開発のラケットは本体からフェース部分が簡単に取り外しが可能で、試合中やプレイ中にガットが破損しても簡単にフェース部分を交換できるようにした。また、フェース部分を交換する場合はそのラケット本体とフェース部分が正しく合体できるように、品番や規格番号で形体を統一するものとする。この新開発のフェース交換式ラケットにより修理の手間が無くなり、大変便利である。【選択図】図３
0003114773.tif 000002
【実用新案登録請求の範囲】
【請求項１】
テニスやバトミントンのラケットは本体が一体化されていて、ガットが破損すると修理をしなければ使用できなかったが、ラケット本体とフェース部分を分離出来るようにして、フェース面の部分だけを交換出来るようにしたのが特徴の新開発のフェース交換式ラケットである。又，ラケット本体や交換用フェースに規格番号や形体の番号を設けて統一したものとする。
【考案の詳細な説明】
【技術分野】
【０００１】  本考案は、テニスやバトミントンのラケットのガットがプレイ中に切れても簡単に本体からフェース部分を取り外して交換できるものである。
【背景技術】
【０００２】  従来テニスやバトミントンのラケットのガットがプレイ中に切れると、そのラケットは使用出来なくなり、別のラケットに代えなければならないという問題点があった。
【考案の開示】
【考案が解決しようとする課題】
【０００３】  従来，テニスやバトミントンのラケット・ガットがプレイ中に切れると、そのラケットは修理しなければ使用出来なく、別のラケットに代えなければならなかったために、予備のものを数本用意しなければならない、という問題点があった。しかし、この新考案の発明により、簡単にフェース部分だけを交換が出きるようにして、前述の欠点を解決しようとするものである。
【課題を解決するための手段】
【０００４】  本考案は、上記課題を解決するために、本来、ラケット本体の握り部分からガットが張ってあるフェース部分まで一体になっていて、ガットが一本でも切れると、そのラケットは修理しなければ使用できなかったが、この新考案のガットが張ってあるフェース部分だけを本体から脱着出来るようにすることにより、いつでも新しいフェースを交換できるようになり問題点を解決した。
【考案の効果】
【０００５】  上述の様に、今までは一本でもガットが切れるとそのラケットは修理をしなければ使用できなかったが、新考案の本体からフェース部分が取り外せるラケットの発明により、フェース部分だけを簡単に新しい物に交換するだけで、ラケットの使用が出来て大変便利であり、また試合や遠征に出かけるときも何本もラケットを持つ必要がなく、また修理も簡単で大変便利である。
【考案を実施するための最良の形態】
【０００６】  ラケット全体が一体型のラケットを、本体部分からフェース部分が脱着できるフレームにして、ガットが切れた場合、フェース部分を本体から取り外して新しいものと交換でき、直ちに使用出来る形態とするものである
【実施例】
【０００７】  以下、添付図面に従って一実施例を説明する。
Ａはラケット本体から取り外しが出来るフェース部分の枠である。
Ｂはネットになるために枠に縦横にガットを張ったものである。
Ｃはフェース部分を交換してフレームを固定したネジ部分を覆うカバーである。
Ｄはカバーを固定するための溝である。
Ｅはフェース部分を交換するためフレームを開くときのネジである。
Ｆはフェース部分の取り外しや固定が出来るフレームである。
Ｇはフェース面をフレームにはめ込んで固定した、ラケットの完成品ある。
【産業上の利用可能性】この製品を製造することにより企業の発展や活性化に貢献し、また製品化して全国の学校のテニス部やテニス愛好家、クラブ、一般家庭に販売、普及させてより良い生活を提供出来る。
【図面の簡単な説明】
【図１】フェース枠にガットを張った交換出来るフェース部分の立体図である。
【図２】フェース部分を交換するために取り外せるフレームと本体の平面図である。
【図３】取り外し可能なフェースをセットしたラケットの平面図である。
【符号の説明】
Ａ・ガットを張るためのフェース枠である。
Ｂ・フェースになる枠にガットを縦，横に張ったものである。
Ｃ・ネジで固定したフレーム部分を覆う円筒の安全カバーである。
Ｄ・安全カバーを回転させるための溝である。
Ｅ・フェース部分を交換するときにフレームを取り外すネジである。
Ｆ・取り外しができるフェース部分を固定するフレームである。
Ｇ・フェース部分をフレームにセットしてビスで固定し、完成したラッケトである。
【図１】
0003114773.tif 000003
【図２】
0003114773.tif 000004
【図３】
0003114773.tif 000005
【手続補正書】
【提出日】平成17年7月28日(2005.7.28)
【手続補正４】
【補正対象書類名】実用新案登録請求の範囲
【補正対象項目名】全文
【補正方法】変更
【補正の内容】
【実用新案登録請求の範囲】
【請求項１】
ラケットのフェース面を構成するフェース部分を着脱可能に構成したことを特徴とするフェース交換式ラケット。
【請求項２】
フェース部分は、ガットの緊張を保持し得る強度を持ったフェース枠と該フェース枠に張り渡したガットから構成し、ラケット本体の握り部の一端側に配設したフレームにはめ込み固定したことを特徴とする請求項１記載のフェース交換式ラケット。
【請求項３】
フレームは、握り部の一端側に始点と終点をもった環状枠を成し、環状枠の始点又は終点の一方を握り部から着脱可能としたことを特徴とする請求項２記載のフェース交換式ラケット。
【請求項４】
握り部からのフレームの着脱を、ネジ手段の締緩によって行うことを特徴とする請求項３記載のフェース交換式ラケット。
【請求項５】
ラケット本体と交換用フェース部分とに、関連付ける統一させた規格番号又は形体番号を設けたことを特徴とする請求項１，２，３，又は４記載のフェース交換式ラケット。
【手続補正５】
【補正対象書類名】明細書
【補正対象項目名】全文
【補正方法】変更
【補正の内容】
【考案の詳細な説明】
【技術分野】
【０００１】
本考案は、テニスやバドミントンで使用するラケットの分野に属し、特に、フェース部分が交換可能なフェース交換式ラケットに関する。
【背景技術】
【０００２】
テニスやバドミントンで使用する従来のラケットは、ラケット本体の握り部とガットが張ってあるフェース部分とを一体的に構成したものである。当該ラケットは、プレイ中にそのガットが切れることがあり、その場合には別のラケットに代えてプレイを続行していた。
【考案の開示】
【考案が解決しようとする課題】
【０００３】
かかる従来のラケットは、上述したように１本でもガットが切れた場合に、ガットを張り直すという修理をしなければならず、プレイ中にはこの修理ができないことに備えて、代わりのラケットを数本用意しなければならないという問題点があった。
そこで、本願考案は上記問題点に鑑み為されたものであり、プレイ中にガットが切れた場合においても、簡単な作業でガットを張り渡したフェース部分を得ることができるフェース交換式ラケットを提供する。
【課題を解決するための手段】
【０００４】
本考案のフェース交換式ラケット（以下、「ラケット」と略称する。）は、上記課題を解決するために以下のように構成している。
すなわち、ラケットのフェース面を構成するフェース部分を着脱可能に構成したことを特徴としている。
【０００５】
上記フェース部分は、ガットの緊張を保持し得る強度を持ったフェース枠と該フェース枠に張り渡したガットから構成し、ラケット本体の握り部の一端側に配設したフレームにはめ込み固定した形態としている。
【０００６】
フレームは、握り部の一端側に始点と終点をもった環状枠を成し、環状枠の始点又は終点の一方を握り部から着脱可能に構成したとを特徴としている。
【０００７】
また、握り部からのフレームの着脱は、ネジ手段の締緩によって行うことを特徴としている。
【０００８】
さらに、ラケット本体と交換用フェース部分とに，関連付ける統一させた規格番号又は形体番号を設けたことを特徴としている。
【考案の効果】
【０００９】
本考案のラケットは、以上のように構成することにより、以下の効果を奏する。
すなわち、ラケット本体からガットの切れたフェース部分が取り外せ、ガットの張った別の新しいフェース部分への交換を簡単に行うことができる。このため、試合等でのプレイ中にガットが切れた場合でも迅速に対応でき、別のラケットを数本用意しなければならない従来の問題点が改善されている。
【００１０】
また、いわゆる遠征等に出掛ける場合でも、今までのように予備のラケットを何本も持って行く必要もなくなる効果もある。
【考案を実施するための最良の形態】
【００１１】
次に、本考案にかかるラケットの最良の実施形態について、図面に基づき以下に詳細に説明する。
【００１２】
図１は本実施例のラケットを示す平面図であり、図２は本実施例のラケット本体から取り出したフェース部分を示す斜視図であり、図３は本実施例のラケット本体からフェース部分を取り除いた状態を示す平面図である。
【００１３】
なお、以下に開示するものは、本考案の実施において、最良の形態であるがこの形態に限定するものではない。また、図面中に付した記号は説明の便宜のためであり、限定的に解するものではない。
【００１４】
図符号１は、テニス又はバドミントン等での使用を目的とした本考案に係るラケットである。このラケット１は、図示するように握り部３１を備えたラケット本体３（以下、「本体」と略称する。）にフレーム３２を介してフェース部分２を着脱自在に配置し、一体的に構成したものである。
【００１５】
フェース部分２は、フェース枠２１にネットとなるガット２１ａを縦横に張り渡して構成したものであり、いわゆるフェース面を成す。なお、フェース枠２１は、張り渡したガット２１ａの緊張を保持し得る強度を持って構成されていることは、もちろんである。
【００１６】
本体３は、握り部３１とこの握り部３１の一端側に配置したフレーム３２とから構成している。
フレーム３２は、一方（始点）側を握り部３１の端部側に一体的に固定し、他方（終点）側を握り部３１の端部側にネジ３３を介して固定する環状枠である。また、フレーム３２は、当該枠内にはめ込まれたフェース部分２の外縁部の殆どを囲うようにして保持及び固定する所定の保形力を有している。
上記のフレーム３２の構成により、握り部３１に締結したネジ３３を緩めたり又は取り外したりすれば、本体３からフェース部分２の着脱を簡単に行うことができる。さらに、握り部３１のネジ３３の配設位置には、この位置を覆うようにカバー３４を配設し、安全に配慮している。このカバー３４は、握り部３１に形成した溝３５により、位置決め及び固定されるものである。
【００１７】
なお、本考案のラケット１は、本体３及び交換用も含めたフェース部分２に関連付ける統一させた規格番号又は形体番号を設け、利便性を向上させている。
【産業上の利用可能性】
【００１８】
本考案にかかるラケットを製造し普及させることは、企業の発展や活性化に貢献するだけでなく、全国の学校のテニス部、クラブ、一般家庭のテニス愛好家の利便に資することにもなる。
【図面の簡単な説明】
【００１９】
【図１】本実施例のラケットを示す平面図である。
【図２】本実施例のラケット本体から取り出したフェース部分を示す斜視図である。
【図３】本実施例のラケット本体からフェース部分を取り除いた状態を示す平面図である。
【符号の説明】
【００２０】
１  ラケット
２  フェース部分
２１  フェース枠
２１ａ  ガット
３  本体
３１  握り部
３２  フレーム
３３  ネジ
３４  カバー
３５  溝
【手続補正６】
【補正対象書類名】図面
【補正対象項目名】全図
【補正方法】変更
【補正の内容】
【図１】
0003114773.tif 000006
【図２】
0003114773.tif 000007
【図３】
0003114773.tif 000008